(57)【特許請求の範囲】
【請求項１】
携帯用端末におけるダイバーシティアンテナを構成する装置であって、
第１アンテナと、
第２アンテナと、
前記第１アンテナを介して送受信される第１通信方式の信号を処理する第１通信部と、
前記第２アンテナを介して送受信される第２通信方式の信号を処理する第２通信部と、
前記第１通信部の送信区間のうちの前記第１通信部が信号を送信しない一部の区間の間、前記第１アンテナを前記第２通信部に対するダイバーシティアンテナとして構成する制御部と、を備え、
前記第２通信部は、前記第１アンテナがダイバーシティアンテナとして構成された場合、前記第１アンテナ及び第２アンテナを介して送受信される第２通信方式の信号を処理することを特徴とするダイバーシティアンテナ構成装置。
【請求項２】
前記第１通信方式は、ＣＤＭＡ通信方式であり、
前記第２通信方式は、ＧＳＭ通信方式であることを特徴とする請求項１に記載のダイバーシティアンテナ構成装置。
【請求項３】
前記第１アンテナと前記第１通信部との間に位置して前記制御部の制御に応じて前記第１アンテナを前記第１通信部又は前記第２通信部に連結するスイッチを更に含むことを特徴とする請求項２に記載のダイバーシティアンテナ構成装置。
【請求項４】
前記スイッチは、前記第１通信部が待機モードで動作する場合、前記第１アンテナと前記第２通信部を連結することを特徴とする請求項３に記載のダイバーシティアンテナ構成装置。
【請求項５】
前記第１通信方式は、ＧＳＭ通信方式であり、
前記第２通信方式は、ＣＤＭＡ通信方式であることを特徴とする請求項１に記載のダイバーシティアンテナ構成装置。
【請求項６】
前記第１アンテナと前記第１通信部との間に位置して前記制御部の制御に応じて前記第１アンテナを前記第１通信部又は前記第２通信部に連結するＦＥＭ（フロントエンドモジュール）を更に含むことを特徴とする請求項５に記載のダイバーシティアンテナ構成装置。
【請求項７】
前記ＦＥＭは、前記第１通信部が待機モードで動作する場合、前記第１アンテナと前記第２通信部を連結することを特徴とする請求項６に記載のダイバーシティアンテナ構成装置。
【請求項８】
前記制御部は、前記第１通信部が送信モードで動作する場合、前記第１通信部の送信区間のうちの前記第１通信部が信号を送信しない一部の区間の間、前記第１アンテナと前記第２通信部とが連結されるように前記ＦＥＭを制御することを特徴とする請求項６に記載のダイバーシティアンテナ構成装置。
【請求項９】
前記第１通信方式は、ＴＤＤ通信方式であり、
前記第２通信方式は、ＴＤＤ通信方式又はＦＤＤ通信方式であることを特徴とする請求項１に記載のダイバーシティアンテナ構成装置。
【請求項１０】
それぞれ異なる通信方式の信号を処理する少なくとも２つの通信部を有する携帯端末におけるダイバーシティアンテナを構成する方法であって、
第１通信部の駆動の有無を確認するステップと、
前記第１通信部の送信区間のうちの前記第１通信部が信号を送信しない一部の区間の間、第１アンテナを第２通信部に連結するステップと、
前記第２通信部を介して前記第１アンテナ及び第２アンテナを介して送受信される第２通信方式の信号を処理するステップと、を有し、
前記第１通信部は、前記第１アンテナを介して送受信される第１通信方式の信号を処理し、
前記第２通信部は、前記第２アンテナを介して送受信される第２通信方式の信号を処理することを特徴とするダイバーシティアンテナ構成方法。
【請求項１１】
前記第１通信方式は、ＣＤＭＡ通信方式であり、
前記第２通信方式は、ＧＳＭ通信方式であることを特徴とする請求項１０に記載のダイバーシティアンテナ構成方法。
【請求項１２】
前記第１アンテナを前記第２通信部に連結するステップは、
前記第１通信部が待機モードで動作する場合、前記第１アンテナと前記第１通信部とを連結するスイッチを用いて前記第１アンテナと前記第２通信部とを連結するステップを含むことを特徴とする請求項１１に記載のダイバーシティアンテナ構成方法。
【請求項１３】
前記第１通信方式は、ＧＳＭ通信方式であり、
前記第２通信方式は、ＣＤＭＡ通信方式であることを特徴とする請求項１０に記載のダイバーシティアンテナ構成方法。
【請求項１４】
前記第１アンテナを前記第２通信部に連結するステップは、
前記第１通信部が待機モードで動作する場合、前記第１アンテナと前記第１通信部とを連結するＦＥＭ（フロントエンドモジュール）を用いて前記第１アンテナと前記第２通信部とを連結するステップを含むことを特徴とする請求項１３に記載のダイバーシティアンテナ構成方法。
【請求項１５】
前記第１通信部が使用される場合、前記第１通信部が送信モードで動作するか否かを確認するステップと、
前記第１通信部が送信モードで動作する場合、前記第１通信部の送信区間のうちの前記第１通信部が信号を送信しない一部の区間の間、前記第１アンテナと前記第２通信部とを連結するステップと、
前記第２通信部を介して前記第１アンテナ及び前記第２アンテナを介して送受信される第２通信方式の信号を処理するステップと、を更に含むことを特徴とする請求項１３に記載のダイバーシティアンテナ構成方法。
【請求項１６】
前記第１通信方式は、ＴＤＤ通信方式であり、
前記第２通信方式は、ＴＤＤ通信方式又はＦＤＤ通信方式であることを特徴とする請求項１０に記載のダイバーシティアンテナ構成方法。
【発明の詳細な説明】
【技術分野】
【０００１】
本発明は、携帯端末におけるダイバーシティサービスを提供するための装置及び方法に関し、より詳細には、携帯端末において別途の補助アンテナを使用することなくダイバーシティアンテナを構成する装置及び方法に関する。
【背景技術】
【０００２】
携帯端末は無線リソースを用いて信号を送受信する。この場合、携帯端末は周辺環境によるフェージング（ｆａｄｉｎｇ）現象によって送受信率が低下することがある。
【０００３】
携帯端末はフェージング現象によって送受信率が低下することを防止するためにダイバーシティアンテナ装置を使用する。
【０００４】
ダイバーシティアンテナを使用する場合、携帯端末は多数個のアンテナを介して信号を送受信して端末の送受信感度が低下することを防止できる。
【０００５】
上述のようにダイバーシティサービスを提供する場合、携帯端末はダイバーシティサービスのための多数個のアンテナを備えなければならない。この時、携帯端末は多数個のアンテナの間の空間隔離のためにアンテナが互いに分離されるように構成する。これにより、ダイバーシティサービスを提供する携帯端末はダイバーシティアンテナにより空間複雑度が増加するという問題点がある。
【先行技術文献】
【特許文献】
【０００６】
【特許文献１】韓国特許出願公開第１０−２００２−０００５０４３号明細書
【発明の概要】
【発明が解決しようとする課題】
【０００７】
本発明は、上記従来の問題点に鑑みてなされたものであって、本発明の目的は、異なる通信方式をサポートする携帯端末において別途の補助アンテナを使用することなくダイバーシティアンテナを構成する装置及び方法を提供することにある。
【課題を解決するための手段】
【０００８】
上記目的を達成するためになされた本発明の一態様によるダイバーシティアンテナ構成装置は、携帯用端末におけるダイバーシティアンテナを構成する装置であって、第１アンテナと、第２アンテナと、前記第１アンテナを介して送受信される第１通信方式の信号を処理する第１通信部と、前記第２アンテナを介して送受信される第２通信方式の信号を処理する第２通信部と、前記第１通信部が待機モードで動作する場合又は前記第１通信部の送信区間のうちの前記第１通信部が信号を送信しない一部の区間の間、前記第１アンテナを前記第２通信部に対するダイバーシティアンテナとして構成する制御部と、を備え、前記第２通信部は、前記第１アンテナがダイバーシティアンテナとして構成された場合、前記第１アンテナ及び第２アンテナを介して送受信される第２通信方式の信号を処理し、前記待機モードは、前記第１通信部が送信モードで動作せずに受信信号の存在を周期的又は持続的に確認する動作状態であることを特徴とする。
【０００９】
前記第１通信方式は、ＣＤＭＡ通信方式であり、前記第２通信方式は、ＧＳＭ通信方式であり得る。
前記ダイバーシティアンテナ構成装置は、前記第１アンテナと前記第１通信部との間に位置して前記制御部の制御に応じて前記第１アンテナを前記第１通信部又は前記第２通信部に連結するスイッチを更に含むことができる。
前記スイッチは、前記第１通信部が待機モードで動作する場合、前記第１アンテナと前記第２通信部を連結することができる。
また、前記第１通信方式は、ＧＳＭ通信方式であり、前記第２通信方式は、ＣＤＭＡ通信方式であってもよい。
また、前記ダイバーシティアンテナ構成装置は、前記第１アンテナと前記第１通信部との間に位置して前記制御部の制御に応じて前記第１アンテナを前記第１通信部又は前記第２通信部に連結するＦＥＭ（フロントエンドモジュール）を更に含んでもよい。
前記ＦＥＭは、前記第１通信部が待機モードで動作する場合、前記第１アンテナと前記第２通信部を連結することができる。
前記制御部は、前記第１通信部が送信モードで動作する場合、前記第１通信部の送信区間のうちの前記第１通信部が信号を送信しない一部の区間の間、前記第１アンテナと前記第２通信部とが連結されるように前記ＦＥＭを制御することができる。
前記第１通信方式は、ＴＤＤ通信方式であり、前記第２通信方式は、ＴＤＤ通信方式又はＦＤＤ通信方式であり得る
【００１０】
上記目的を達成するためになされた本発明の一態様によるダイバーシティアンテナ構成方法は、それぞれ異なる通信方式の信号を処理する少なくとも２つの通信部を有する携帯端末におけるダイバーシティアンテナを構成する方法であって、第１通信部の駆動の有無を確認するステップと、前記第１通信部が待機モードで動作する場合又は前記第１通信部の送信区間のうちの前記第１通信部が信号を送信しない一部の区間の間、第１アンテナを前記第２通信部に連結するステップと、前記第２通信部を介して前記第１アンテナ及び第２アンテナを介して送受信される第２通信方式の信号を処理するステップと、を有し、前記第１通信部は、前記第１アンテナを介して送受信される第１通信方式の信号を処理し、前記第２通信部は、前記第２アンテナを介して送受信される第２通信方式の信号を処理し、前記待機モードは、前記第１通信部が送信モードで動作せずに受信信号の存在を周期的又は持続的に確認する動作状態であることを特徴とする。
【００１１】
上記目的を達成するたになされた本発明の他の態様によるダイバーシティアンテナ構成装置は、携帯用端末におけるダイバーシティアンテナを構成する装置であって、第１アンテナと、第２アンテナと、前記第１アンテナを介して送受信される第１通信方式の信号を処理する第１通信部と、前記第２アンテナを介して送受信される第２通信方式の信号を処理する第２通信部と、前記第２通信部の駆動中に前記第２通信部の通信環境において前記第２通信部の通信品質が低下する場合、前記第１通信方式と前記第２通信方式との通信優先順位に基づいて前記第１アンテナを前記第２通信部に対するダイバーシティアンテナとして構成する制御部と、を備え、前記第２通信部は、前記第１アンテナがダイバーシティアンテナとして構成された場合、前記第１アンテナ及び第２アンテナを介して送受信される第２通信方式の信号を処理し、前記第２通信部の通信環境は、前記第２通信方式を用いて送受信する信号の電界強度及びフェージングのうちの少なくとも１つを含むことを特徴とする。
【００１２】
上記目的を達成するたになされた本発明の他の態様によるダイバーシティアンテナ構成方法は、それぞれ異なる通信方式の信号を処理する少なくとも２つの通信部を有する携帯端末におけるダイバーシティアンテナを構成する方法であって、第２通信部が駆動される場合、前記第２通信部の通信環境を確認するステップと、前記第２通信部の通信環境において前記第２通信部の通信品質が低下する場合、前記少なくとも２つの通信部の通信優先順位に基づいて第１アンテナを前記第２通信部に連結するステップと、前記第２通信部を介して前記第１アンテナ及び第２アンテナを介して送受信される第２通信方式の信号を処理するステップと、を有し、前記少なくとも２つの通信部のうちの第１通信部は、前記第１アンテナを介して送受信される第１通信方式の信号を処理し、前記第２通信部は、前記第２アンテナを介して送受信される第２通信方式の信号を処理し、前記第２通信部の通信環境は、前記第２通信方式を用いて送受信する信号の電界強度及びフェージングのうちの少なくとも１つを含むことを特徴とする。
【発明の効果】
【００１３】
本発明によれば、デュアルモードをサポートする携帯端末において、第１通信モジュールのアンテナを第２通信モジュールのダイバーシティアンテナとして使用することによって、別途の補助アンテナや別途の追加アンテナを使用することなくダイバーシティサービスを提供できるため、補助アンテナや追加アンテナによって空間複雑度が増加することを防止できる利点がある。
【図面の簡単な説明】
【００１４】
【図１】本発明の一実施形態による携帯端末のブロック構成を示す図である。
【図２】本発明の一実施形態による携帯端末におけるＧＳＭダイバーシティアンテナを構成する手順を示す図である。
【図３】本発明の一実施形態による携帯端末におけるＣＤＭＡダイバーシティアンテナを構成する手順を示す図である。
【図４】本発明の他の実施形態による携帯端末におけるＣＤＭＡダイバーシティアンテナを構成する手順を示す図である。
【図５】本発明の一実施形態による携帯端末において電界強度に基づいてＧＳＭダイバーシティアンテナを構成する手順を示す図である。
【図６】本発明の一実施形態による携帯端末においてフェージングチャネルに基づいてＧＳＭダイバーシティアンテナを構成する手順を示す図である。
【図７】本発明の一実施形態による携帯端末においてＣＤＭＡアンテナを用いてＧＳＭダイバーシティアンテナを構成する手順を示す図である。
【図８】本発明の一実施形態による携帯端末において電界強度に基づいてＣＤＭＡダイバーシティアンテナを構成する手順を示す図である。
【図９】本発明の一実施形態による携帯端末においてフェージングチャネルに基づいてＣＤＭＡダイバーシティアンテナを構成する手順を示す図である。
【図１０】本発明の一実施形態による携帯端末においてＧＳＭアンテナを用いてＣＤＭＡダイバーシティアンテナを構成する手順を示す図である。
【発明を実施するための形態】
【００１５】
以下、本発明を実施するための形態の具体例を、図面を参照しながら詳細に説明する。本発明を説明するに当たって、関連する公知機能又は構成に対する具体的な説明が本発明の要旨を不要に不明確にするおそれがあると判断される場合、その詳細な説明を省略する。そして、後述する用語は、本発明における機能を考慮して定義した用語であって、これはユーザ、運用者の意図又は慣例などに応じて異なることがある。従って、その定義は本明細書全般に亘る内容に基づいて行われるべきである。
【００１６】
以下、本発明は、携帯端末において別途の補助アンテナを使用することなくダイバーシティアンテナを構成するための技術について説明する。
【００１７】
以下の説明で、携帯端末はそれぞれ異なる通信方式のデュアルモードをサポートすると仮定する。例えば、携帯端末はＴＤＤ（Ｔｉｍｅ  Ｄｉｖｉｓｉｏｎ  Ｄｕｐｌｅｘ）方式の第１通信方式と第２通信方式をサポートする。他の例として、携帯端末はＴＤＤ方式の第１通信方式とＦＤＤ（Ｆｒｅｑｕｅｎｃｙ  Ｄｉｖｉｓｉｏｎ  Ｄｕｐｌｅｘ）方式の第２通信方式とをサポートすることもできる。
【００１８】
しかし、携帯端末が３つ以上の通信方式をサポートする場合にも同様に別途の補助アンテナを使用することなくダイバーシティアンテナを構成することができる。
【００１９】
携帯端末は、デュアルモードをサポートする移動通信端末、ＰＤＡ、ラップトップ、スマートフォン、ネットブック、モバイルインターネットデバイス（ＭＩＤ）、ウルトラモバイルＰＣ（ＵＭＰＣ）、タブレットＰＣなどの電子装置を含む。
【００２０】
以下、携帯端末はＧＳＭ(登録商標)通信方式とＣＤＭＡ通信方式のデュアルモードをサポートする場合を仮定する。例えば、ＧＳＭ９００通信方式は８８０〜９６０ＭＨｚ帯域を使用し、ＣＤＭＡ通信方式の受信は８６９〜８９４ＭＨｚをサポートするので、ＧＳＭ通信方式とＣＤＭＡ通信方式は８８０〜８９４ＭＨｚを共有して使用することができる。これにより、ＣＤＭＡモジュールはＧＳＭアンテナをＣＤＭＡダイバーシティアンテナに使用することができ、ＧＳＭモジュールはＣＤＭＡアンテナをＧＳＭダイバーシティアンテナに使用することができる。
【００２１】
図１は、本発明の一実施形態による携帯端末のブロック構成を示す図である。
【００２２】
図１に示すように、携帯端末は、制御部１００、通信モジュール１１０、保存部１２０、表示部１３０、入力部１４０、及びオーディオ処理部１５０を含む。
【００２３】
制御部１００は、携帯端末の全体的な動作制御を行う。
【００２４】
制御部１００は、第１連結制御部１０２と第２連結制御部１０４を介して第１通信部１１２と第２通信部１１６のダイバーシティアンテナを構成するように制御する。ここで、第１通信部１１２はＣＤＭＡサービスのための通信モジュールを示し、第２通信部１１６はＧＳＭサービスのための通信モジュールを示す。
【００２５】
第１連結制御部１０２は、第１通信部１１２が駆動されない場合、第１アンテナ１６１が第２通信部１１６のダイバーシティアンテナとして動作するように第１連結部１１４を制御する。例えば、ＣＤＭＡサービスを提供しないために第１通信部１１２が待機モードで動作する場合、第１連結制御部１０２は、第１アンテナ１６１が第２通信部１１６のダイバーシティアンテナとして動作するように第１連結部１１４を制御する。即ち、第１通信部１１２が待機モードで動作する場合、第１連結制御部１０２は、第１アンテナ１６１がＧＳＭ通信方式のダイバーシティアンテナとして動作するように制御する。
【００２６】
ＧＳＭサービスの優先順位がＣＤＭＡサービスの優先順位より高い場合、第１連結制御部１０２は、第１通信部１１２の駆動の有無にかかわらず第２通信部１１６が駆動されると第１アンテナ１６１が第２通信部１１６のダイバーシティアンテナとして動作するように第１連結部１１４を制御することもできる。例えば、第１連結制御部１０２は、後述する図５〜図７に示すように、第１通信部１１２の駆動の有無にかかわらず第２通信部１１６が駆動されると第１アンテナ１６１が第２通信部１１６のダイバーシティアンテナとして動作するように第１連結部１１４を制御することもできる。
【００２７】
第２連結制御部１０４は、第２通信部１１６が駆動されない場合、第２アンテナ１６３が第１通信部１１２のダイバーシティアンテナとして動作するように第２連結部１１８を制御する。例えば、ＧＳＭサービスを提供しないために第２通信部１１６が待機モードで動作する場合、第２連結制御部１０４は、第２アンテナ１６３が第１通信部１１２のダイバーシティアンテナとして動作するように第２連結部１１８を制御する。即ち、第２通信部１１６が待機モードで動作する場合、第２連結制御部１０４は、第２アンテナ１６３がＣＤＭＡ通信方式のダイバーシティアンテナとして動作するように制御する。他の例として、第２通信部１１６が送信モードで駆動される場合、第２連結制御部１０４は、送信区間内で第２通信部１１６が動作しない一部の区間の間、第２アンテナ１６３が第１通信部１１２のダイバーシティアンテナとして動作するように第２連結部１１８を制御することもできる。
【００２８】
ＣＤＭＡサービスの優先順位がＧＳＭサービスの優先順位より高い場合、第２連結制御部１０４は、第２通信部１１６の駆動の有無にかかわらず第１通信部１１２が駆動されると第２アンテナ１６３が第１通信部１１２のダイバーシティアンテナとして動作するように第２連結部１１８を制御することもできる。例えば、第２連結制御部１０４は、後述する図８〜図１０に示すように、第２通信部１１６の駆動の有無にかかわらず第１通信部１１２が駆動されると第２アンテナ１６３が第１通信部１１２のダイバーシティアンテナとして動作するように第２連結部１１８を制御することもできる。
【００２９】
通信モジュール１１０は、音声及びデータ通信のためにアンテナを介して送受信される信号を処理する。通信モジュール１１０は、第１通信部１１２、第１連結部１１４、第２通信部１１６、及び第２連結部１１８を含む。
【００３０】
第１通信部１１２は、ＣＤＭＡサービスのために送受信される信号を処理する。例えば、第１通信部１１２は、第１アンテナ１６１を介して送受信されるＣＤＭＡサービスのためのデータ信号及び音声信号を処理する。他の例として、第２連結部１１８を介して第２アンテナ１６３が第１通信部１１２に連結される場合、第１通信部１１２は、第１アンテナ１６１と第２アンテナ１６３を介して送受信されるＣＤＭＡサービスのためのデータ信号及び音声信号を処理することもできる。即ち、第１通信部１１２は、第１アンテナ１６１と第２アンテナ１６３を用いたダイバーシティ方式に従ってＣＤＭＡサービスのために送受信されるデータ信号及び音声信号を処理する。
【００３１】
第１連結部１１４は、第１連結制御部１０２の制御に応じて第１アンテナ１６１を第１通信部１１２又は第２通信部１１６に連結する。例えば、第１通信部１１２が待機モードで動作する場合、第１連結部１１４は、第１連結制御部１０２の制御に応じて第１アンテナ１６１を第２通信部１１６に連結する。一方、第１通信部１１２が活性モードで動作する場合、第１連結部１１４は、第１連結制御部１０２の制御に応じて第１アンテナ１６１を第１通信部１１２に連結する。ここで、第１連結部１１４は、第１アンテナ１６１を第１通信部１１２又は第２通信部１１６に連結させるスイッチを含む。
【００３２】
第２通信部１１６は、ＧＳＭサービスのために送受信される信号を処理する。例えば、第２通信部１１６は、第２アンテナ１６３を介して送受信されるＧＳＭサービスのためのデータ信号及び音声信号を処理する。他の例として、第１連結部１１４を介して第１アンテナ１６１が第２通信部１１６に連結される場合、第２通信部１１６は、第１アンテナ１６１と第２アンテナ１６３を介して送受信されるＧＳＭサービスのためのデータ信号及び音声信号を処理することもできる。即ち、第２通信部１１６は、第１アンテナ１６１と第２アンテナ１６３を用いたダイバーシティ方式に従ってＧＳＭサービスのために送受信されるデータ信号及び音声信号を処理する。
【００３３】
第２連結部１１８は、第２連結制御部１０４の制御に応じて第２アンテナ１６３を第１通信部１１２又は第２通信部１１６に連結する。例えば、第２通信部１１６が待機モードで動作する場合、第２連結部１１８は、第２連結制御部１０４の制御に応じて第２アンテナ１６３を第１通信部１１２に連結する。一方、第２通信部１１６が活性モードで動作する場合、第２連結部１１８は、第２連結制御部１０４の制御に応じて第２アンテナ１６３を第２通信部１１６に連結する。他の例として、第２通信部１１６が送信モードで駆動される場合、第２連結部１１８は、第２連結制御部１０４の制御に応じて送信区間内で第２通信部１１６が動作しない一部の区間の間、第２アンテナ１６３を第１通信部１１２に連結する。一方、第２通信部１１６が送信モードで駆動される場合、第２連結部１１８は、第２連結制御部１０４の制御に応じて送信区間内で第２通信部１１６が動作する区間の間、第２アンテナ１６３を第２通信部１１６に連結する。ここで、第２連結部１１８は、リコンフィギュアラブル無線技術を適用したＦＥＭ（フロントエンドモジュール）を含んでもよい。
【００３４】
第２連結部１１８がＦＥＭで構成される場合、ＦＥＭは、第２通信部１１６に連結される受信経路のうちのいずれか１つの受信経路を第１通信部１１２に連結するように設定する。次に、ＦＥＭは、第２連結制御部１０４の制御に応じて第２アンテナ１６３を第１通信部１１２又は第２通信部１１６に連結する。例えば、ＧＳＭサービスを提供しないため第２通信部１１６が待機モードで動作する場合、ＦＥＭは、第２アンテナ１６３に受信経路を連結する。この場合、ＦＥＭは、第２連結制御部１０４の制御に応じて第２アンテナ１６３と第１通信部１１２とが連結される受信経路を設定する。
【００３５】
保存部１２０は、携帯端末の動作を制御するためのプログラムを保存するプログラム保存部及びプログラムの遂行中に発生するデータを保存するデータ保存部で構成される。
【００３６】
表示部１３０は、制御部１００の制御に応じて携帯端末の状態情報、ユーザが入力するメッセージ、動画像及び静止画像などを表示する。例えば、表示部１３０は、情報の表示及び入力手段の機能を共に行うタッチスクリーンで構成される。
【００３７】
入力部１４０は、ユーザの選択によって発生する入力データを制御部１００に提供する。例えば、入力部１４０は、制御ボタンのみを含んで構成される。他の例として、入力部１４０は、ユーザから入力データを提供するためのキーパッドで構成することもできる。
【００３８】
オーディオ処理部１５０は、オーディオ信号の入出力を制御する。例えば、オーディオ処理部１５０は、制御部１００から提供されたオーディオ信号を、スピーカを介して外部に送出し、マイクから入力されたオーディオ信号を制御部１００に提供する。
【００３９】
以下、別途の補助アンテナを使用することなく、ダイバーシティサービスを提供する方法について説明する。
【００４０】
図２は、本発明の一実施形態による携帯端末におけるＧＳＭダイバーシティアンテナを構成する手順を示す図である。
【００４１】
図２を参照すると、携帯端末は、ステップ２０１でＧＳＭモジュールのダイバーシティサービスをサポートするか否かを確認する。
【００４２】
ＧＳＭモジュールのダイバーシティサービスをサポートしない場合、携帯端末は本アルゴリズムを終了する。
【００４３】
一方、ＧＳＭモジュールのダイバーシティサービスをサポートする場合、携帯端末は、ステップ２０３に進み、ＣＤＭＡモジュールが駆動されるか否かを確認する。
【００４４】
ＣＤＭＡサービスのためにＣＤＭＡモジュールが駆動される場合、携帯端末はＧＳＭモジュールのダイバーシティサービスをサポートできないと認識する。これにより、携帯端末は本アルゴリズムを終了する。
【００４５】
一方、ＣＤＭＡサービスを提供しないためにＣＤＭＡモジュールが駆動されない場合、携帯端末は、ステップ２０５に進み、ＣＤＭＡアンテナをＧＳＭモジュールに連結する。例えば、図１でＣＤＭＡサービスを提供するための第１通信部１１２が待機モードである場合、第１連結部１１４は、第１連結制御部１０２の制御に応じて第１アンテナ１６１に第２通信部１１６を連結する。即ち、携帯端末は第１アンテナ１６１をＧＳＭダイバーシティアンテナとして構成する。ここで、第１通信部１１２の待機モードとは、第１通信部１１２が送信モードで動作せずに受信信号が存在するか否かを周期的又は持続的に確認している動作状態をいう。
【００４６】
ＣＤＭＡアンテナをＧＳＭモジュールに連結した後、携帯端末は、ステップ２０７に進み、ダイバーシティ方式でＧＳＭサービスのための信号を処理する。例えば、図１の場合、第２通信部１１６は、第１アンテナ１６１と第２アンテナ１６３を介して送受信されるＧＳＭ信号を処理する。
【００４７】
以降、携帯端末は本アルゴリズムを終了する。
【００４８】
上述した実施形態で、携帯端末はＣＤＭＡアンテナをＧＳＭダイバーシティアンテナとして構成する。
【００４９】
他の実施形態で、携帯端末は、図３に示すようにＧＳＭアンテナをＣＤＭＡダイバーシティアンテナとして構成することもできる。
【００５０】
図３は、本発明の一実施形態による携帯端末におけるＣＤＭＡダイバーシティアンテナを構成する手順を示す図である。
【００５１】
図３を参照すると、携帯端末は、ステップ３０１でＣＤＭＡモジュールのダイバーシティサービスをサポートするか否かを確認する。
【００５２】
ＣＤＭＡモジュールのダイバーシティサービスをサポートしない場合、携帯端末は本アルゴリズムを終了する。
【００５３】
一方、ＣＤＭＡモジュールのダイバーシティサービスをサポートする場合、携帯端末は、ステップ３０３に進み、ＧＳＭモジュールが駆動されるか否かを確認する。
【００５４】
ＧＳＭサービスのためにＧＳＭモジュールが駆動される場合、携帯端末はＣＤＭＡモジュールのダイバーシティサービスをサポートできないと認識する。これにより、携帯端末は本アルゴリズムを終了する。
【００５５】
一方、ＧＳＭサービスを提供しないためにＧＳＭモジュールが駆動されない場合、携帯端末は、ステップ３０５に進み、ＧＳＭアンテナをＣＤＭＡモジュールに連結する。例えば、図１でＧＳＭサービスを提供するための第２通信部１１６が待機モードである場合、第２連結部１１８は、第２連結制御部１０４の制御に応じて第２アンテナ１６３に第１通信部１１２を連結する。即ち、携帯端末は第２アンテナ１６３をＣＤＭＡダイバーシティアンテナとして構成する。ここで、第２通信部１１６の待機モードとは、第２通信部１１６が送信モードで動作せずに受信信号が存在するか否かを周期的又は持続的に確認する動作状態をいう。
【００５６】
ＧＳＭアンテナをＣＤＭＡモジュールに連結した後、携帯端末は、ステップ３０７に進み、ダイバーシティ方式でＣＤＭＡサービスのための信号を処理する。例えば、図１の場合、第１通信部１１２は、第１アンテナ１６１と第２アンテナ１６３を介して送受信されるＣＤＭＡ信号を処理する。
【００５７】
以降、携帯端末は本アルゴリズムを終了する。
【００５８】
上述のように、携帯端末は、ＧＳＭモジュールが駆動されない場合、ＧＳＭアンテナを用いてＣＤＭＡダイバーシティアンテナを構成する。
【００５９】
ＧＳＭモジュールはＴＤＭＡ（Ｔｉｍｅ  Ｄｉｖｉｓｉｏｎ  Ｍｕｌｔｉｐｌｅ  Ａｃｃｅｓｓ）方式で動作する。例えば、ＧＳＭモジュールはＴＤＭＡ方式に従って送信区間の１／８スロットのみを使用し、残りの区間を使用しない。これにより、携帯端末は、図４に示すように、ＧＳＭモジュールの送信区間でＧＳＭモジュールが使われない一部の区間の間、ＧＳＭアンテナを用いてＣＤＭＡダイバーシティアンテナを構成することもできる。
【００６０】
図４は、本発明の他の実施形態による携帯端末におけるＣＤＭＡダイバーシティアンテナを構成する手順を示す図である。
【００６１】
図４に示すように、携帯端末は、ステップ４０１でＣＤＭＡモジュールのダイバーシティサービスをサポートするか否かを確認する。
【００６２】
ＣＤＭＡモジュールのダイバーシティサービスをサポートしない場合、携帯端末は本アルゴリズムを終了する。
【００６３】
一方、ＣＤＭＡモジュールのダイバーシティサービスをサポートする場合、携帯端末は、ステップ４０３に進み、ＧＳＭモジュールが駆動されるかを確認する。
【００６４】
ＧＳＭサービスを提供しないためにＧＳＭモジュールが駆動されない場合、携帯端末は、ステップ４０５に進み、ＧＳＭアンテナをＣＤＭＡモジュールに連結する。例えば、図１でＧＳＭサービスを提供するための第２通信部１１６が待機モードである場合、第２連結部１１８は、第２連結制御部１０４の制御に応じて第２アンテナ１６３に第１通信部１１２を連結する。即ち、携帯端末は第２アンテナ１６３をＣＤＭＡダイバーシティアンテナとして構成する。
【００６５】
一方、ＧＳＭサービスのためにＧＳＭモジュールが駆動される場合、携帯端末は、ステップ４０９に進み、ＧＳＭモジュールが送信モードで動作するか否かを確認する。
【００６６】
ＧＳＭモジュールが受信モードで動作してＧＳＭサービスのための信号を受信する場合、携帯端末はＣＤＭＡモジュールのダイバーシティサービスをサポートできないと認識する。これにより、携帯端末は本アルゴリズムを終了する。
【００６７】
一方、ＧＳＭモジュールが送信モードで動作する場合、携帯端末は、ステップ４１１に進み、ＧＳＭモジュールが信号を送信するか否かを確認する。例えば、ＧＳＭモジュールはＴＤＭＡ方式に従って送信区間の１／８スロットのみを使用して信号を送信する。これにより、携帯端末は現時点が送信区間であり且つＧＳＭモジュールが信号を送信できる１／８スロットに含まれるか否かを確認する。
【００６８】
ＧＳＭモジュールが信号を送信する場合、即ち、現時点が送信区間であり且つＧＳＭモジュールが信号を送信する１／８スロットに含まれる場合、携帯端末はＣＤＭＡモジュールのダイバーシティサービスをサポートできないと認識する。これにより、携帯端末は本アルゴリズムを終了する。
【００６９】
一方、ＧＳＭモジュールが信号を送信しない場合、携帯端末は現時点が送信区間であるがＧＳＭモジュールが信号を送信しない７／８区間に含まれると認識する。これにより、携帯端末は、ステップ４０５に進み、ＧＳＭアンテナをＣＤＭＡモジュールに連結する。例えば、図１でＧＳＭサービスを提供するための第２通信部１１６が待機モードである場合、第２連結部１１８は、第２連結制御部１０４の制御に応じて第２アンテナ１６３に第１通信部１１２を連結する。即ち、携帯端末は第２アンテナ１６３をＣＤＭＡダイバーシティアンテナとして構成する。
【００７０】
ＧＳＭアンテナをＣＤＭＡモジュールに連結した後、携帯端末は、ステップ４０７に進み、ダイバーシティ方式でＣＤＭＡサービスのための信号を処理する。例えば、図１の場合、第１通信部１１２は、第１アンテナ１６１と第２アンテナ１６３を介して送受信されるＣＤＭＡ信号を処理する。
【００７１】
以降、携帯端末は本アルゴリズムを終了する。
【００７２】
上述した実施形態で、携帯端末は、ＧＳＭモジュールが受信モードで動作する場合、ＧＳＭサービスのための信号を受信すると仮定した。もし、ＧＳＭモジュールが受信モードで動作するがＧＳＭサービスのための信号を受信しない時間区間が存在する場合、携帯端末は、ＧＳＭサービスのための信号を受信しない時間区間の間、ＧＳＭアンテナをＣＤＭＡモジュールに連結することができる。また、ＧＳＭモジュールが受信モードで動作するがＧＳＭサービスのための信号を受信しない場合、携帯端末はＧＳＭアンテナをＣＤＭＡモジュールに連結することができる。
【００７３】
上述のように、携帯端末はＧＳＭモジュールが駆動される場合にもＧＳＭアンテナをＣＤＭＡダイバーシティアンテナとして構成することができる。これにより、ＧＳＭアンテナをＣＤＭＡダイバーシティアンテナとして使用している途中にＧＳＭモジュールが駆動される場合、携帯端末は、図４に示すようにＧＳＭモジュールが信号を送信しない領域を用いてＧＳＭアンテナをＣＤＭＡダイバーシティアンテナとして使用することができる。
【００７４】
上述した図２に示すように、携帯端末は、ＣＤＭＡ通信モジュールがＣＤＭＡアンテナを使用しない場合、ＣＤＭＡアンテナをＧＳＭダイバーシティアンテナとして構成してＧＳＭモジュールのダイバーシティをサポートする。
【００７５】
他の実施形態で、携帯端末は、図５〜図７に示すようにＣＤＭＡモジュールの駆動の有無にかかわらずＣＤＭＡアンテナをＧＳＭダイバーシティアンテナとして構成することもできる。
【００７６】
以下の説明は、携帯端末においてＧＳＭモジュールの通信環境情報に基づいてＣＤＭＡアンテナをＧＳＭダイバーシティアンテナとして構成すると仮定する。例えば、携帯端末は、図５に示すようにＧＳＭモジュールの電界強度に基づいてＧＳＭダイバーシティアンテナを構成する。
【００７７】
図５は、本発明の一実施形態による携帯端末において電界強度に基づいてＧＳＭダイバーシティアンテナを構成する手順を示す図である。
【００７８】
図５を参照すると、携帯端末は、ステップ５０１でＧＳＭモジュールを介してＧＳＭサービスを提供するか否かを確認する。
【００７９】
ＧＳＭサービスを提供しない場合、携帯端末はＧＳＭモジュールが駆動されないと認識する。これにより、携帯端末は本アルゴリズムを終了する。
【００８０】
一方、ＧＳＭサービスを提供する場合、携帯端末は、ステップ５０３に進み、ＧＳＭサービスを提供する領域が弱電界領域であるか否かを確認する。例えば、携帯端末はＧＳＭサービスに対する電界強度を測定してＧＳＭサービスを提供する領域が弱電界領域であるか否かを確認する。
【００８１】
ＧＳＭサービスを提供する領域が弱電界領域ではない場合、携帯端末はＧＳＭモジュールのダイバーシティをサポートしないと認識する。これにより、携帯端末は本アルゴリズムを終了する
【００８２】
一方、ＧＳＭサービスを提供する領域が弱電界領域である場合、携帯端末はＧＳＭサービスの品質を高めるためにＧＳＭモジュールのダイバーシティをサポートすると認識する。これにより、携帯端末は、ステップ５０５に進み、ＣＤＭＡアンテナをＧＳＭモジュールに連結する。例えば、ＧＳＭサービスの優先順位がＣＤＭＡサービスの優先順位より高い場合、携帯端末はＣＤＭＡモジュールの駆動の有無にかかわらずＣＤＭＡアンテナをＧＳＭモジュールに連結する。
【００８３】
ＣＤＭＡアンテナをＧＳＭモジュールに連結した後、携帯端末は、ステップ５０７に進み、ダイバーシティ方式でＧＳＭサービスのための信号を処理する。例えば、図１の場合、第２通信部１１６は、第１アンテナ１６１と第２アンテナ１６３を介して送受信されるＧＳＭ信号を処理する。
【００８４】
以降、携帯端末は本アルゴリズムを終了する。
【００８５】
上述した実施形態で、携帯端末はＧＳＭモジュールの電界強度に基づいてＧＳＭダイバーシティアンテナを構成する。
【００８６】
他の実施形態で、携帯端末は、図６に示すようにＧＳＭモジュールのフェージング特性に基づいてＧＳＭダイバーシティアンテナを構成することもできる。
【００８７】
図６は、本発明の一実施形態による携帯端末においてフェージングチャネルに基づいてＧＳＭダイバーシティアンテナを構成する手順を示す図である。
【００８８】
図６を参照すると、携帯端末は、ステップ６０１でＧＳＭモジュールを介してＧＳＭサービスを提供するか否かを確認する。
【００８９】
ＧＳＭサービスを提供しない場合、携帯端末はＧＳＭモジュールが駆動されないと認識する。これにより、携帯端末は本アルゴリズムを終了する。
【００９０】
一方、ＧＳＭサービスを提供する場合、携帯端末は、ステップ６０３に進み、ＧＳＭサービスに対するフェージング（ｆａｄｉｎｇ）が感知されるか否かを確認する。即ち、携帯端末はＧＳＭサービスに対する受信電波感度が急激に変わるか否かを確認する。
【００９１】
ＧＳＭサービスに対するフェージングが感知されない場合、携帯端末はＧＳＭモジュールのダイバーシティをサポートしないと認識する。これにより、携帯端末は本アルゴリズムを終了する
【００９２】
一方、ＧＳＭサービスに対するフェージングが感知された場合、携帯端末はＧＳＭサービスの品質を高めるためにＧＳＭモジュールのダイバーシティをサポートすると認識する。これにより、携帯端末は、ステップ６０５に進み、ＣＤＭＡアンテナをＧＳＭモジュールに連結する。例えば、ＧＳＭサービスの優先順位がＣＤＭＡサービスの優先順位より高い場合、携帯端末はＣＤＭＡモジュールの駆動の有無にかかわらずＣＤＭＡアンテナをＧＳＭモジュールに連結する。
【００９３】
ＣＤＭＡアンテナをＧＳＭモジュールに連結した後、携帯端末は、ステップ６０７に進み、ダイバーシティ方式でＧＳＭサービスのための信号を処理する。例えば、図１の場合、第２通信部１１６は、第１アンテナ１６１と第２アンテナ１６３を介して送受信されるＧＳＭ信号を処理する。
【００９４】
以降、携帯端末は本アルゴリズムを終了する。
【００９５】
上述した実施形態で、携帯端末はＧＳＭサービスに対するフェージングが感知されると、ＣＤＭＡアンテナを用いてＧＳＭダイバーシティアンテナを構成する。
【００９６】
他の実施形態で、携帯端末は、ＧＳＭサービスに対するフェージングが基準範囲から逸脱した場合、ＣＤＭＡアンテナを用いてＧＳＭダイバーシティアンテナを構成することもできる。
【００９７】
上述した実施形態で、携帯端末はＧＳＭモジュールの通信環境情報に基づいてＧＳＭダイバーシティアンテナを選択的に構成する。
【００９８】
他の実施形態で、携帯端末は、図７に示すようにＧＳＭモジュールの駆動の有無に応じてＣＤＭＡアンテナをＧＳＭダイバーシティアンテナとして構成することもできる。
【００９９】
図７は、本発明の一実施形態による携帯端末においてＣＤＭＡアンテナを用いてＧＳＭダイバーシティアンテナを構成する手順を示す図である。
【０１００】
図７を参照すると、携帯端末は、ステップ７０１で近接センサが駆動されるか否かを確認する。例えば、携帯端末は近接センサを用いて人（外部の物体）が近づいたか否かを確認する。
【０１０１】
近接センサが駆動されない場合、携帯端末は外部の物体が近づいていないと認識する。これにより、携帯端末は本アルゴリズムを終了する。
【０１０２】
一方、近接センサが駆動された場合、携帯端末は外部の物体が通話のために近づいたと認識する。これにより、携帯端末は、ステップ７０３に進み、ＧＳＭモジュールが駆動されるか否かを確認する。
【０１０３】
ＧＳＭモジュールが駆動されない場合、携帯端末は本アルゴリズムを終了する。
【０１０４】
一方、ＧＳＭモジュールが駆動される場合、携帯端末は、ステップ７０５に進み、ＣＤＭＡアンテナをＧＳＭモジュールに連結する。例えば、ＧＳＭサービスの優先順位がＣＤＭＡサービスの優先順位より高い場合、携帯端末はＣＤＭＡモジュールの駆動の有無にかかわらずＣＤＭＡアンテナをＧＳＭモジュールに連結する。
【０１０５】
ＣＤＭＡアンテナをＧＳＭモジュールに連結した後、携帯端末は、ステップ７０７に進み、ダイバーシティ方式でＧＳＭサービスのための信号を処理する。例えば、図１の場合、第２通信部１１６は、第１アンテナ１６１と第２アンテナ１６３を介して送受信されるＧＳＭ信号を処理する。
【０１０６】
以降、携帯端末は本アルゴリズムを終了する。
【０１０７】
上述した図３及び図４に示すように、携帯端末は、ＧＳＭ通信モジュールがＧＳＭアンテナを使用しない場合、ＧＳＭアンテナをＣＤＭＡダイバーシティアンテナとして構成してＣＤＭＡモジュールのダイバーシティをサポートする。
【０１０８】
他の実施形態で、携帯端末は、図８〜図１０に示すようにＧＳＭモジュールの駆動の有無にかかわらずＧＳＭアンテナをＣＤＭＡダイバーシティアンテナとして構成することもできる。
【０１０９】
以下の説明は、携帯端末においてＣＤＭＡモジュールの通信環境情報に基づいてＧＳＭアンテナをＣＤＭＡダイバーシティアンテナとして構成すると仮定する。例えば、携帯端末は、図８に示すようにＣＤＭＡモジュールの電界強度に基づいてＣＤＭＡダイバーシティアンテナを構成する。
【０１１０】
図８は、本発明の一実施形態による携帯端末において電界強度に基づいてＣＤＭＡダイバーシティアンテナを構成する手順を示す図である。
【０１１１】
図８を参照すると、携帯端末は、ステップ８０１でＣＤＭＡモジュールを介してＣＤＭＡサービスを提供するか否かを確認する。
【０１１２】
ＣＤＭＡサービスを提供しない場合、携帯端末はＣＤＭＡモジュールが駆動されないと認識する。これにより、携帯端末は本アルゴリズムを終了する。
【０１１３】
一方、ＣＤＭＡサービスを提供する場合、携帯端末は、ステップ８０３に進み、ＣＤＭＡサービスを提供する領域が弱電界領域であるか否かを確認する。例えば、携帯端末はＣＤＭＡサービスに対する電界強度を測定する。
【０１１４】
ＣＤＭＡサービスを提供する領域が弱電界領域ではない場合、携帯端末はＣＤＭＡモジュールのダイバーシティをサポートしないと認識する。これにより、携帯端末は本アルゴリズムを終了する
【０１１５】
一方、ＣＤＭＡサービスを提供する領域が弱電界領域である場合、携帯端末はＣＤＭＡサービスの品質を高めるためにＣＤＭＡモジュールのダイバーシティをサポートすると認識する。これにより、携帯端末は、ステップ８０５に進み、ＧＳＭアンテナをＣＤＭＡモジュールに連結する。例えば、ＣＤＭＡサービスの優先順位がＧＳＭサービスの優先順位より高い場合、携帯端末はＧＳＭモジュールの駆動の有無にかかわらずＧＳＭアンテナをＣＤＭＡモジュールに連結する。
【０１１６】
ＧＳＭアンテナをＣＤＭＡモジュールに連結した後、携帯端末は、ステップ８０７に進み、ダイバーシティ方式でＣＤＭＡサービスのための信号を処理する。例えば、図１の場合、第１通信部１１２は、第１アンテナ１６１と第２アンテナ１６３を介して送受信されるＣＤＭＡ信号を処理する。
【０１１７】
以降、携帯端末は本アルゴリズムを終了する。
【０１１８】
上述した実施形態で、携帯端末はＣＤＭＡモジュールの電界強度に基づいてダイバーシティアンテナを構成する。
【０１１９】
他の実施形態で、携帯端末は、図９に示すようにＣＤＭＡモジュールのフェージング特性に基づいてＣＤＭＡダイバーシティアンテナを構成することもできる。
【０１２０】
図９は、本発明の一実施形態による携帯端末においてフェージングチャネルに基づいてＣＤＭＡダイバーシティアンテナを構成する手順を示す図である。
【０１２１】
図９を参照すると、携帯端末は、ステップ９０１でＣＤＭＡモジュールを介してＣＤＭＡサービスを提供するか否かを確認する。
【０１２２】
ＣＤＭＡサービスを提供しない場合、携帯端末はＣＤＭＡモジュールが駆動されないと認識する。これにより、携帯端末は本アルゴリズムを終了する。
【０１２３】
一方、ＣＤＭＡサービスを提供する場合、携帯端末は、ステップ９０３に進み、ＣＤＭＡサービスに対するフェージングが感知されるか否かを確認する。即ち、携帯端末はＣＤＭＡサービスに対する受信電波感度が急激に変わるか否かを確認する。
【０１２４】
ＣＤＭＡサービスに対するフェージングが感知されない場合、携帯端末はＣＤＭＡモジュールのダイバーシティをサポートしないと認識する。これにより、携帯端末は本アルゴリズムを終了する
【０１２５】
一方、ＣＤＭＡサービスに対するフェージングが感知された場合、携帯端末はＣＤＭＡサービスの品質を高めるためにＣＤＭＡモジュールのダイバーシティをサポートすると認識する。これにより、携帯端末は、ステップ９０５に進み、ＧＳＭアンテナをＣＤＭＡモジュールに連結する。例えば、ＣＤＭＡサービスの優先順位がＧＳＭサービスの優先順位より高い場合、携帯端末はＧＳＭモジュールの駆動の有無にかかわらずＧＳＭアンテナをＣＤＭＡモジュールに連結する。
【０１２６】
ＧＳＭアンテナをＣＤＭＡモジュールに連結した後、携帯端末は、ステップ９０７に進み、ダイバーシティ方式でＣＤＭＡサービスのための信号を処理する。例えば、図１の場合、第１通信部１１２は、第１アンテナ１６１と第２アンテナ１６３を介して送受信されるＣＤＭＡ信号を処理する。
【０１２７】
以降、携帯端末は本アルゴリズムを終了する。
【０１２８】
上述した実施形態で、携帯端末はＣＤＭＡサービスに対するフェージングが感知されると、ＧＳＭアンテナを用いてＣＤＭＡダイバーシティアンテナを構成する。
【０１２９】
他の実施形態で、携帯端末は、ＣＤＭＡサービスに対するフェージングが基準範囲を逸脱した場合、ＧＳＭアンテナを用いてＣＤＭＡダイバーシティアンテナを構成することもできる。
【０１３０】
上述した実施形態で、携帯端末はＣＤＭＡモジュールの通信環境情報に基づいてＣＤＭＡダイバーシティアンテナを選択的に構成する。
【０１３１】
他の実施形態で、携帯端末は、図１０に示すようにＣＤＭＡモジュールの駆動の有無に応じてＧＳＭアンテナをＣＤＭＡダイバーシティアンテナとして構成することもできる。
【０１３２】
図１０は、本発明の一実施形態による携帯端末においてＧＳＭアンテナを用いてＣＤＭＡダイバーシティアンテナを構成する手順を示す図である。
【０１３３】
図１０に示すように、携帯端末は、ステップ１００１で近接センサが駆動されるか否かを確認する。例えば、携帯端末は近接センサを用いて外部の物体が近づいたか否かを確認する。
【０１３４】
近接センサが駆動されない場合、携帯端末は外部の物体が近づいていないと認識する。これにより、携帯端末は本アルゴリズムを終了する。
【０１３５】
一方、近接センサが駆動された場合、携帯端末は外部の物体が通話のために近づいたと認識する。これにより、携帯端末はステップ１００３に進み、ＣＤＭＡモジュールが駆動されるか否かを確認する。
【０１３６】
ＣＤＭＡモジュールが駆動されない場合、携帯端末は本アルゴリズムを終了する。
【０１３７】
一方、ＣＤＭＡモジュールが駆動される場合、携帯端末は、ステップ１００５に進み、ＧＳＭアンテナをＣＤＭＡモジュールに連結する。例えば、ＣＤＭＡサービスの優先順位がＧＳＭサービスの優先順位より高い場合、携帯端末はＧＳＭモジュールの駆動の有無にかかわらずＧＳＭアンテナをＣＤＭＡモジュールに連結する。
【０１３８】
ＧＳＭアンテナをＣＤＭＡモジュールに連結した後、携帯端末は、ステップ１００７に進み、ダイバーシティ方式でＣＤＭＡサービスのための信号を処理する。例えば、図１の場合、第１通信部１１２は、第１アンテナ１６１と第２アンテナ１６３を介して送受信されるＣＤＭＡ信号を処理する。
【０１３９】
以降、携帯端末は本アルゴリズムを終了する。
【０１４０】
以上、本発明の実施形態について図面を参照しながら説明したが、本発明は、上述の実施形態に限定されるものではなく、本発明の技術的範囲を逸脱しない範囲内で多様に変更実施することが可能である。
【符号の説明】
【０１４１】
１００    制御部
１０２    第１連結制御部
１０４    第２連結制御部
１１０    通信モジュール
１１２    第１通信部
１１４    第１連結部
１１６    第２通信部
１１８    第２連結部
１２０    保存部
１３０    表示部
１４０    入力部
１５０    オーディオ処理部
１６１    第１アンテナ
１６３    第２アンテナ
【図１】
0005698207.tif 000002
【図２】
0005698207.tif 000003
【図３】
0005698207.tif 000004
【図４】
0005698207.tif 000005
【図５】
0005698207.tif 000006
【図６】
0005698207.tif 000007
【図７】
0005698207.tif 000008
【図８】
0005698207.tif 000009
【図９】
0005698207.tif 000010
【図１０】
0005698207.tif 000011